(57)【要約】【課題】設定締付トルクが異なる複数の電動工具の取り間違いによる締め付け不良を防ぐ。【解決手段】駆動源であるモータ１と、上記モータ１の出力で締付動作を行う駆動部２と、締付動作による締付トルクを検出するトルク検出部５と、トルク検出部５で検出した締付トルクが設定締付トルク値に達した際に上記締付動作を停止させるシャットオフ動作を行わせるとともに締付完了表示を点灯させる制御回路６とを備え、締付完了表示を行う締付完了表示部は、予め設定された色で表示を行うものである。締付完了表示がその工具に設定された色でなされる。【選択図】図１
2009083046.tif 000002
【特許請求の範囲】
【請求項１】
駆動源であるモータと、上記モータの出力で締付動作を行う駆動部と、締付動作による締付トルクを検出するトルク検出部と、トルク検出部で検出した締付トルクが設定締付トルク値に達した際に上記締付動作を停止させるシャットオフ動作を行わせるとともに締付完了表示を点灯させる制御回路とを備えた電動工具において、上記締付完了表示を行う締付完了表示部は、予め設定された色で表示を行うものであることを特徴とする電動工具。
【請求項２】
締付完了表示部は、設定された設定締付トルク値によって異なる色の表示を行うものであることを特徴とする請求項１記載の電動工具。
【発明の詳細な説明】
【技術分野】
【０００１】
本発明は、ねじやボルト・ナットなどのねじ類の締め付け作業に用いられる電動工具に関するものである。
【背景技術】
【０００２】
電動ドライバーや電動インパクトレンチ等の締め付け作業用電動工具において、その締め付け作業時、締付トルクが所要の設定締付トルクに至ったことを検出して動力伝達経路中に配したクラッチを切り離したり、駆動源であるモータを停止させるものが提供されており、更に設定締付トルクでの締め付けが完了すれば、これを締付完了表示部に表示するものが提供されている。
【０００３】
ところで工場における組立ラインにおいて上記電動工具を用いるにあたり、ある工程で一人の作業者が異なる締付トルクで締め付けなくてはならない複数の作業を行う場合がある。この時、単一の電動工具において、その都度設定締付トルクを変更して作業していたのでは締付トルクを間違ってしまう虞が高いことから、通常、設定締付トルクを異ならせた複数の電動工具を用意して、ある締付トルクで締め付けなくてはならない作業に用いる電動工具と、他の締付トルクで締め付けなくてはならない作業とでは、電動工具を持ち替えて作業することがなされている。
【０００４】
しかし、電動工具に設定した設定締付トルク値を常に確認して作業を行うことはまずないために、使用する電動工具を取り違えてしまうとともに、そのことに気付かないことがある。
【特許文献１】特開２００６−３４６７７１号公報
【発明の開示】
【発明が解決しようとする課題】
【０００５】
本発明は上記の従来の問題点に鑑みて発明したものであって、設定締付トルクが異なる複数の電動工具の取り間違いによる締め付け不良を防ぐことができる電動工具を提供することを課題とするものである。
【課題を解決するための手段】
【０００６】
上記課題を解決するために本発明に係る電動工具は、駆動源であるモータと、上記モータの出力で締付動作を行う駆動部と、締付動作による締付トルクを検出するトルク検出部と、トルク検出部で検出した締付トルクが設定締付トルク値に達した際に上記締付動作を停止させるシャットオフ動作を行わせるとともに締付完了表示を点灯させる制御回路とを備えたものにおいて、上記締付完了表示を行う締付完了表示部は、予め設定された色で表示を行うものであることに特徴を有している。締付完了表示がその工具に設定された色でなされるようにしたものである。
【０００７】
この場合、締付完了表示部は設定された設定締付トルク値によって異なる色の表示を行うものであってもよい。
【発明の効果】
【０００８】
本発明によれば、締め付け作業が完了したかどうかの確認のために作業の度に作業者が見ることになる作業完了表示部の表示が、予め設定された色によってなされることから、設定締付トルクが異なる複数の電動工具で上記色を異ならせておくことで、今行った締め付け作業がどの電動工具によってなされたかを確実に判別することができるものであり、このために設定締付トルクが異なる複数の電動工具を持ち替えて作業する時、電動工具を取り間違えてもこれがすぐに分かるものであり、取り違えたまま作業を続行してしまうということがなく、締め付け不良の発生を防ぐことができる。
【発明を実施するための最良の形態】
【０００９】
以下、本発明を添付図面に示す実施形態に基いて説明すると、図１は電動工具がインパクト回転工具である場合の一例を示しており、図中１はモータ、２は出力軸３にインパクト出力を与える機構部、４は電池パック、５は締め付け作業時の締付トルクを検出するトルク検出部、６は上記モータ１の動作を制御する制御回路、７はモータ１の駆動用のスイッチング素子、８は締付トルクを設定するための表示設定部、ＳＷはトリガースイッチである。
【００１０】
上記機構部２は、どのようなタイプのものであってもよいが、モータの減速回転出力が与えられる出力軸にカムを介して係合しているハンマーと、ハンマーを付勢するばね、そしてハンマーとの係合で回転するアンビルとからなり、ハンマーが上記ばねによる付勢で常時アンビルと係合して上記減速回転をアンビル側に伝えている状態から、負荷トルクが大きくなってハンマーがばねに抗して後退し、この後退でアンビルとハンマーとの係合が外れれば、ばねによる付勢と上記カムによる誘導とでハンマーが回転しながら前進してアンビルを打撃することでインパクトを発生させるタイプのものを用いることができる。
【００１１】
上記トルク検出部５は、上記ハンマーによるアンビルの打撃回数から締付トルクを推定するもの、１打撃毎の運動エネルギー収支から締付トルクを推定するもの等、どのようなものであってもよいことから、ここでは締付トルクの推定動作の詳細については省略する。
【００１２】
表示設定部８は上述のように締付トルクを設定するためのものであり、ここでは図４に示すように、９段階表示を行う表示部８０とアップダウンキースイッチ８１，８２とで構成している。なお、ここで設定された設定締付トルクの値は、上記制御回路６が有するメモリに保存される。
【００１３】
そして、上記制御回路６は、締め付け作業の実行時、トルク検出部５から出力される推定締付トルクを上記メモリに保存した設定締付トルクと比較し、推定締付トルクが設定締付トルクに達したならばモータ１を停止させるシャットオフ動作を行うとともに、工具本体の後端面に配された締付完了表示部９を点灯させて締付完了を表示する。
【００１４】
ここにおいて、本発明における締付完了表示部９は、図３に示すように赤色発光ダイオードＬＥＤｒと、緑色発光ダイオードＬＥＤｇと、青色発光ダイオードＬＥＤｂと、これらを駆動するＬＥＤ駆動回路９０とからなるとともに、該ＬＥＤ駆動回路９０は、これら３色の発光ダイオードＬＥＤｒ、ＬＥＤｇ、ＬＥＤｂに流す電流を変化させることで、全体としての色を変化させることができるものであり、また、制御回路６は表示設定部８にて設定された設定締付トルクの値に応じて、上記の全体としての色を異ならせた発光を行わせるものとなっている。つまり、電動工具に設定された設定締付トルク値が異なれば、シャットオフ動作時の締付完了表示も異なる色でなされるものである。
【００１５】
このために作業者にしてみれば、締め付け作業が完了したかどうかを確認するために締付完了表示部９を見る時、締付完了表示の色によって使用した電動工具を区別することができるものであり、このために電動工具を取り違えたまま作業を続行してしまう虞をなくすことができる。
【００１６】
なお、ここでは設定締付トルク値に応じて色が変化するようにしたものを示したが、設定締付トルク値にかかわらず、点灯させる色を作業者が選択することができるようにしたものであってもよい。この場合、作業がもっとも認識しやすい色で締付完了表示を行わせることができる。
【図面の簡単な説明】
【００１７】
【図１】本発明の実施の形態の一例の概略断面図である。
【図２】同上のブロック回路図である。
【図３】同上の締付完了表示部のブロック回路図である。
【図４】同上の表示設定部の正面図である。
【符号の説明】
【００１８】
１  モータ
２  駆動部
３  出力軸
５  トルク検出部
６  制御回路
９  締付完了表示部
【図１】
2009083046.tif 000003
【図２】
2009083046.tif 000004
【図３】
2009083046.tif 000005
【図４】
2009083046.tif 000006